(57)【要約】
【課題】　この考案は軽量で保温性良好なズボンを目的としたものである。
【解決手段】　この考案は、表地により縫成した外ズボン体の内側に、補強生地と断熱シートと、裏地とを重ね合わせてキルティングしてなる保温布よりなる内ズボン体を挿入し、前記外ズボン体と内ズボン体とを上部で固定すると共に、胴廻りの長さ調節具を取り付けたことを特徴とするズボンにより目的を達成した。
【選択図】　　　　図１
0003100400.tif 000002
【実用新案登録請求の範囲】
【請求項１】
　表地により縫成した外ズボン体の内側に、補強生地と断熱シートと、裏地とを重ね合わせてキルティングしてなる保温布よりなる内ズボン体を挿入し、前記外ズボン体と内ズボン体とを上部で固定すると共に、胴廻りの長さ調節具を取り付けたことを特徴とするズボン。
【請求項２】
　表地により縫成した外ズボン体の内側に、補強生地と断熱シートと、裏地とを重ね合わせてキルティングしてなる保温布よりなる内ズボン体を挿入し、前記外ズボン体と内ズボン体とを上部で固定すると共に、前記内ズボン体の下部へ、伸縮自在の環状部を連設し、胴廻りの長さ調節具を取り付けたことを特徴とするズボン。
【請求項３】
　表地により縫成した外ズボン体の内側に、補強生地と綿シート又はウールシートよりなる断熱シートと、裏地とを重ね合わせてキルティングしてなる保温布よりなる内ズボン体を挿入し、前記外ズボン体と内ズボン体とを上部で固定すると共に、胴廻りの長さ調節具を取り付けたことを特徴とするズボン。
【請求項４】
　表地により縫成した外ズボン体の内側に、補強生地と断熱シートと、裏地とを重ね合わせてキルティングしてなる保温布よりなる内ズボン体を挿入し、前記外ズボン体と内ズボン体とを上部で固定すると共に、胴廻りの長さ調節具を取り付け、前記長さ調節具は、後身頃の両前部と、前身頃とを重ね合わせると共に、後身頃の両前部に固定した係止ベルトと、前身頃に固定したベルトとの係止具により構成されたことを特徴とするズボン。
【考案の詳細な説明】
【技術分野】
【０００１】
　この考案は、表地よりなる外ズボンの内側に保温性及び強度性を向上した内ズボンを内挿すると共に、胴廻りの長さを調節できるようにしたズボンに関する。
【背景技術】
【０００２】
　従来保温を考慮した衣服は、表地及び裏地共に厚手の生地を用いたり、表地と、裏地との間に断熱シートを介装して、表裏地をキルティングした上下衣又は断熱性布を積層しキルティングした裏地を表地と固着した衣が知られている。
【０００３】
　またズボンについては、胴廻りの長さを調節する技術が知られており、その手段として、一側に凹凸ベルトを固定し、他側に前記凹凸ベルトと係止する係止具を取り付けた調節具も知られている。
【特許文献１】特開平９−２１７２１６号
【特許文献２】登録第３０５７６４４号実用新案公報
【考案の開示】
【考案が解決しようとする課題】
【０００４】
　前記従来の技術は、表地と裏地の間に断熱シートを介装して表地と裏地とを共にキルティングして外観を損したり、或いは裏地と断熱シートとをキルティングした後、表地と裏地を一体化した為に全体として厚手の衣により衣服のような外観と感触を与えるのみならず、動作を制約する（着用者の動作が鈍化する）問題点があった。
【０００５】
　また胴廻りの調節については幾多の提案があって、構造の複雑化が進む問題点があった。
【課題を解決するための手段】
【０００６】
　この考案は、外ズボン体内へ補強生地と、断熱シートと裏地よりなる内ズボン体を挿入固定してズボンを成形すると共にズボンの胴廻りの長さ調節具を取り付けることにより、保温性に優れ、しかも装着容易なズボンを得たのである。
【０００７】
　前記この考案のズボンは、外ズボン体内へ内ズボン体とを挿入したので、二層のズボンになると共に、両ズボン体間へ空気の薄層を介在させて断熱性を向上することができる。
【０００８】
　また外ズボン体は外装であって、身体（例えば脚部）に対し自由度が大きく、内ズボン体は脚部に緊密に装着されて保温性がよく、しかも運動機能を阻害するおそれがない。
【０００９】
　例えば、内ズボン体は脚部へ密接状態にあるので、動きが軽快になる利点がある。
【００１０】
　前記において外ズボン体と、内ズボン体とを前面に亘って一体化してあれば、装着者の動きが軽快とはいえなくなる。
【００１１】
　また胴廻りは、外ズボン体と、内ズボン体が一体のまま長さを調節できるので、身体へは一体的に緊密に装着される。
【００１２】
　前記のように、ズボンの上部は装着者の腰部へ緊密に装着され、脚部以下は、外ズボン体と内ズボン体が別異の働きをするので、着用者の動作は軽快になる利点がある。
【考案の効果】
【００１３】
　この考案によれば、補強生地、断熱シート及び裏生地を一体的にキルティングした布地より内ズボンを成形し、これを外ズボン内へ挿入して内外ズボンの上部を固着し、かつ胴廻りの長さを調節できるようにしたので、外ズボンと内ズボンの間に空気層が介装され、断熱性を飛躍的に上昇させる効果があると共に、内ズボンのみ装着者の脚部に密着するので、足の運動機能を保有するかつ腰部への装着を堅固にするなどの諸効果がある。
【考案を実施するための最良の形態】
【００１４】
　この考案は、合成繊維を縫成してなる表地で外ズボン体を成形する。この外ズボン体の内側へ合成繊維よりなる補強地に、綿シートを層着し、この綿シートに合成繊維又は綿繊維よりなる裏地を層着し、前記補強地、綿シート及び裏地の三層を同一のステッチ糸でキルティングしてなる布地で内ズボン体を成形し、前記外ズボン体内へ内ズボン体を挿入し、上部で固着してズボンを成形したものである。
【００１５】
　前記ズボンの上部一側には、凹凸部を有する調節ベルトを横に固定し、上部の他側に、前記調節ベルトと係止する止金具を固定し、前記ズボンの胴廻りの長さを調節自在に構成したものである。
【００１６】
　前記内ズボン体の下端部には、伸縮自在の環状部が連設してあって、内ズボン体の下端部と、足首部分がフィットするように構成してある。
【００１７】
　前記ズボンに使用した表地と裏地などは従来使用していた生地を適宜使用することができる。
【実施例１】
【００１８】
　この考案の実施例を図面に基づいて説明する。
【００１９】
　合成繊維又はウール糸、綿糸などで縫成した表地で、外ズボン体１を成形する。また合成繊維、綿糸などで縫成した補強地１１と、綿シート１２（合成綿シートを含む）と、合成繊維又は綿糸或いは混紡よりなる裏地１３とを三層にし、この三層をステッチ糸１４でキルティングした布地１０で内ズボン体２を成形し、該内ズボン体２の下端部に伸縮布よりなる環状部２ａを連設する。
【００２０】
　前記外ズボン体１と、内ズボン体２との上部を重ねて固定し、この考案のズボン５を構成した。
【００２１】
　前記ズボン５の上部は、左右前身頃５ａ、５ｂと、後身頃５ｃとよりなり、前記前身頃５ａ、５ｂに取り付けた係止具８、８と、後身頃５ｃの前部へ、横方向に固定した係止ベルト６、６とを係止したもので、前記係止ベルト６、６と、係止具８、８とは、長さ調節具７を構成してある。
【００２２】
　前記係止ベルト６、６は、合成樹脂ベルト６ａ、６ａの一側部に、凸部６ｂ、６ｂを並列して設置してある。
【００２３】
　また係止具８は、前記係止ベルト６、６に摺動自在に装着できる枠部３に、前記係止ベルト６、６と係止する係止板４の一側突軸４ｃを枠部３の軸孔３ｃへ回動自在に取り付けて構成されている。
【００２４】
　前記係止ベルト６の凸部６ｂへ、前記係止具８の係止板４の係止片４ａを係止させることにより、係止具８の位置を固定することができる。
【００２５】
　前記係止具８の係止板４には、摘み片４ｂと、枠部３の側板３ａに設けた突片３ｂと係止する止片４ｄとが設けてある。前記突片３ｂと、止片４ｄとは摩擦係止されていればよいので、その形状に特別の制約はない。
【００２６】
　前記枠部３の底板には、透孔３ｄ、３ｄが設けてあり、係止具８を固定する金具１８の固定突起１８ａ、１８ａは前身頃５ｃを貫通し、前記透孔３ｄ、３ｄに挿通してから屈曲固定してある。
【００２７】
　従って係止具８は前身頃５ａ、５ｂに固定され、後身頃５ｃに固定されたベルト６との間において、長さを調節することができる。
【００２８】
　図中９は前身頃５ａ、５ｂに固定したフック、９ａはフック９の係止環、１５はファスナー、１６、１７はポケットである。
【００２９】
　前記実施例において、係止板４を矢示１９のように開いて、係止具８を所定の位置にずらした後、係止板４を矢示２０のように閉じて、その係止片４ａと、ベルト６の突条６ｂとを係止すれば、前身頃５ａ、５ｂと、後身頃５ｃの前部の重なりが確定し、胴廻りの長さを調節することができる。
【００３０】
　従って、係止ベルト６と係止具８の位置によって、後身頃５ｃと、前身頃５ａ、５ｂの重なり長さが変わり、胴廻りの長さを調節することができる。従来この種調節は、右又は左の一方に限られていたので、片寄り易いのみならず、調節量も少なかったが、前記実施例のように両方にし、かつ上部を切り放してあれば、調節に無理がなく、かつ調節幅を大きくすることができる。
【００３１】
　前記は係止ベルト６と係止具８の具体的構造に左右されるものではない。また外ズボン体１と内ズボン体２は上部で連結されているのみであるから、着用時に、脚部と内ズボン体２とはフィットするが、外ズボン体１とはフリーであるから、着用者の運動その他に障害が少なく、自由に動かすことができる効果がある。
【産業上の利用可能性】
【００３２】
　この考案のズボンは出願後直ちに製造販売する予定である。
【図面の簡単な説明】
【００３３】
【図１】この考案の実施例の一部を破切した正面図。
【図２】（ａ）同じく一部拡大図、（ｂ）同じく内ズボン体の布地の一部拡大断面図。
【図３】同じく平面拡大図。
【図４】（ａ）同じく一部拡大正面図、（ｂ）同じく係止具の拡大背面図、（ｃ）同じく係止ベルトと係止片の係止状態を示す説明図、（ｄ）同じく金具の取付状態を示す断面拡大図。
【図５】同じく係止具の拡大斜視図。
【符号の説明】
【００３４】
１　外ズボン体
２　内ズボン体
３　枠部
４　係止板
５　ズボン
６　係止ベルト
７　長さ調節具
８　係止具
９　空気層
１０　布地
１１　補強地
１２　綿シート
１３　裏地
１４　ステッチ糸
【図１】
0003100400.tif 000003
【図２】
0003100400.tif 000004
【図３】
0003100400.tif 000005
【図４】
0003100400.tif 000006
【図５】
0003100400.tif 000007